(57)【要約】従来技術の問題点を解消し、高い検出感度、長波長領域での発光、タンパク質・脂質や糖鎖等の成分による発光に対する影響の低減化、水溶性の向上、高い精度での分析等の特性を有するスーパーオキシドアニオンを検出するためのスーパーオキシドアニオン分析用試薬とその製造法およびそれを用いたスーパーオキシドアニオンの分析方法を提供することを目的とする。シクロデキストリン分子にフルオレセイン分子およびイミダゾ［１，２−ａ］ピラジン−３（７Ｈ）−オン分子が共に共有結合した化合物によって、上記目的を達成することができる。
2004072649.tif 000002
【特許請求の範囲】
【請求項１】
下記の化合物（１３）及び（１４）：
2004072649.tif 000005
（但し、Ｍは５〜１４の整数、ｎは０〜（Ｍ−１）の整数、Ｒ１〜Ｒ３、及びＲ５〜Ｒ１３は、ＨまたはＣ１〜Ｃ２０のアルキル基、アルケニル基、アルキニル基、フェニル基、ヒドロキシル基、アルキルヒドロキシル基、ベンジル基、アリール基、ハロゲン基、ニトロ基、シアノ基、スルホニル基、カルボニル基、アミノ基、ナフチル基、インドリル基のうちの一つであり、ＸおよびＹは、０〜２０の整数、Ｒ４は、０〜４個の置換度によるフェニル環である）を有効成分として含有することを特徴とするスーパーオキシドアニオン分析用試薬。
【請求項２】
少なくとも、シクロデキストリン分子にフルオレセイン分子およびイミダゾ［１，２−ａ］ピラジン−３（７Ｈ）−オン分子が共に共有結合した化合物を有効成分として含有することを特徴とするスーパーオキシドアニオン分析用試薬。
【請求項３】
下記の化合物（１５）及び（１６）：
2004072649.tif 000006
（但し、Ｍは５〜１４の整数、ｎは０〜（Ｍ−１）の整数である）にて示されるシクロデキストリン分子にフルオレセイン分子およびイミダゾ［１，２−ａ］ピラジン−３（７Ｈ）−オン分子が共に共有結合した化合物。
【請求項４】
シクロデキストリン分子にフルオレセイン分子およびイミダゾ［１，２−ａ］ピラジン−３（７Ｈ）−オン分子が共に共有結合した化合物を製造する方法であって、▲１▼モノマンノエポキシ−シクロデキストリンの水酸基にニトロベンゼンスルホニル基を結合させ、▲２▼その結果物である６−Ｏ−ニトロベンゼンスルホニル−シクロデキストリンの６位にアジド基を導入し、▲３▼このアジド基を還元し、▲４▼フルオレセインイソチオシアナートと反応させた後、▲４▼エポキシを開環し、３位にアミノ基を導入し、▲５▼この結果物とＭＣＬＡ−ＣＯＯＨとをアミド結合させ、目的とする化合物を得ることを特徴とする製造方法。
【請求項５】
請求項１〜請求項３に記載の化合物を検体溶液と接触させた後、発光強度を測定することを特徴とするスーパーオキシドアニオンの分析方法。
【発明の詳細な説明】
【技術分野】  本発明は、スーパーオキシドアニオンの分析に関するものである。さらに詳しくは、本発明は、シクロデキストリン分子に、発光試薬（例えば、フルオレセイン分子およびイミダゾ［１，２−ａ］ピラジン−３（７Ｈ）−オン分子）が共に共有結合した化合物を有効成分として含有するスーパーオキシドアニオン分析用試薬とその製造法およびそれを用いたスーパーオキシドアニオンの分析方法に関するものである。
【背景技術】  スーパーオキシドアニオンは活性酸素の一種であり、生体での解毒活性をはじめとする生理活性作用を有している。一方、過剰なスーパーオキシドアニオンは正常な部位を破壊するため、癌化や老化を招く。このような機能を持つスーパーオキシドアニオンの生体での分析は重要であり、これまでに比色法、蛍光法、ＥＳＲ法が用いられてきた。しかし、これらの方法は、感度が低いことに加え、被検体を破壊して分析するため好ましい分析法とはいえない。これに対し、近年になって開発されてきた発光法は、感度がよく、かつ被検体を非破壊的に分析することができる。
発光法に用いられる発光試薬としては、２−メチル−６−フェニルイミダゾ［１，２−ａ］ピラジン−３（７Ｈ）−オン（ＣＬＡ：下図化合物Ａ）、２−メチル−６−（４−メトキシフェニル）イミダゾ［１，２−ａ］ピラジン−３（７Ｈ）−オン（ＭＣＬＡ：下図化合物Ｂ）、３，７−ジヒドロ−６−［４−［２−［Ｎ’（５−フルオレセイニル）チオウレイド］−エトキシ］フェニル］−２−メチルイミダゾ［１，２−ａ］ピラジン−３（７Ｈ）−オン（ＦＣＬＡ：下図化合物Ｃ）が知られている（例えば東京化成工業株式会社／東京化成販売株式会社）。
2004072649.tif 000003
ＣＬＡの最大発光波長は約３８０−４１０ｎｍであり、ＭＣＬＡの最大発光波長は約４２０−４６０ｎｍであり、ＦＣＬＡの最大発光波長は約５２０−５４０ｎｍである。生体のスーパーオキシドアニオン分析では他の成分の影響が少ない方が望ましいことから、より長波長域での発光が望まれる。このため、長波長域の発光を示すＦＣＬＡがよいとされる。また、ＣＬＡ、ＭＣＬＡ、およびＦＣＬＡのうち、発光強度はＭＣＬＡがもっとも強く、生体のスーパーオキシドアニオン分析では発光強度が高い方が望ましいことから、発光強度の点ではＭＣＬＡがよいとされる。従って、ＭＣＬＡとＦＣＬＡの両化合物の良い特性を兼ね備えた、すなわち、高い発光強度を有し、かつ発光波長が長波長領域であるという特性を有した発光分析試薬の創製が望まれる。更に好ましくは、ＭＣＬＡおよびＦＣＬＡよりも発光強度が高く、しかも、さらなる長波長領域（例えば、オレンジ色や赤色の発光）での発光を示す発光試薬が望まれる。また、ＣＬＡ、ＭＣＬＡ、ＦＣＬＡの発光は、生体中のタンパク質、脂質や糖鎖等の成分による影響を受けやすいため、スーパーオキシドアニオンの分析精度が低いと言う問題がある。また、ＣＬＡ、ＭＣＬＡ、ＦＣＬＡは水溶性が低いために、被検体系への注入が困難であり、加えて細胞表面等への吸着が生じ易く有効に作用できずに発光性能が低下するという問題がある。
本発明は、以上のとおりの事情に鑑みてなされたものであり、その目的は、従来技術の問題点を解消し、高い検出感度、長波長領域での発光、タンパク質・脂質や糖鎖等の成分による発光に対する影響の低減化、水溶性の向上、高い精度での分析等の特性を有するスーパーオキシドアニオンを検出するためのスーパーオキシドアニオン分析用試薬とその製造法およびそれを用いたスーパーオキシドアニオンの分析方法を提供することである。
【発明の開示】
本発明者は、鋭意研究の結果、上記の課題を解決するものとして、第一の発明は、第１図に示す化合物（１３）及び（１４）（但し、Ｍは５〜１４の整数、ｎは０〜（Ｍ−１）の整数、Ｒ１〜Ｒ３、及びＲ５〜Ｒ１３は、ＨまたはＣ１〜Ｃ２０のアルキル基、アルケニル基、アルキニル基、フェニル基、ヒドロキシル基、アルキルヒドロキシル基、ベンジル基、アリール基、ハロゲン基、ニトロ基、シアノ基、スルホニル基、カルボニル基、アミノ基、ナフチル基、インドリル基のうちの一つであり、ＸおよびＹは、０〜２０の整数、Ｒ４は、０〜４個の置換度によるフェニル環である）を有効成分として含有することを特徴とするスーパーオキシドアニオン分析用試薬である。この化合物は、一つのシクロデキストリン分子内に、スーパーオキシドと反応する分子と、そこで生じたエネルギーを受け取って発光する分子との両分子を含むものであり、スーパーオキシドアニオンを良好に分析することができる。
なお、シクロデキストリンとは、Ｄ−グルコピラノースがα１→４結合した非還元性の環状オリゴ糖であり、グルコピラノース６分子、７分子、８分子からなるものをそれぞれα−、β−、γ−シクロデキストリンと称する。本発明のシクロデキストリンとしては、これらα〜γ−シクロデキストリンの他に、グルコピラノースが９分子〜１５分子結合した環状性のオリゴ糖を用いることができるが、好ましくは、グルコピラノースが６分子〜８分子のα−、β−、γ−シクロデキストリンであり、更に好ましくはγ−シクロデキストリンである。
また、第二の発明は、少なくとも、シクロデキストリン分子にフルオレセイン分子およびイミダゾ［１，２−ａ］ピラジン−３（７Ｈ）−オン分子が共に共有結合した化合物を有効成分として含有することを特徴とするスーパーオキシドアニオン分析用試薬であり、その化合物は、第２図の式（１５）及び（１６）（ただし、Ｍは５〜７の整数、ｎは０〜（Ｍ−１）の整数である）で表されるシクロデキストリン分子にフルオレセイン分子およびイミダゾ［１，２−ａ］ピラジン−３（７Ｈ）−オン分子が共に共有結合した化合物であることが好ましい。このうち、好ましくは、Ｍ＝７であるとき、すなわちγ−シクロデキストリン分子にフルオレセイン分子およびイミダゾ［１，２−ａ］ピラジン−３（７Ｈ）−オン分子が共に共有結合した化合物を有効成分として含有するスーパーオキシドアニオン分析用試薬である。
また、第三の発明は、シクロデキストリン分子にフルオレセイン分子およびイミダゾ［１，２−ａ］ピラジン−３（７Ｈ）−オン分子が共に共有結合した化合物（１５）及び（１６）の製造方法を提供する。
第四の発明は、前記のスーパーオキシドアニオン分析用試薬を検体溶液と接触させた後、発光強度を測定することを特徴とするスーパーオキシドアニオンの分析方法を提供する。
本発明によれば、スーパーオキシドアニオンの分析を簡便かつ精度高く行なうためのスーパーオキシドアニオン分析用試薬、及びその製造法さらには分析方法が提供される。この発明のスーパーオキシドアニオン分析用試薬は、水溶性であり、スーパーオキシドアニオンと反応して高い発光強度を示す。また、最大発光波長約５３０ｎｍであることから、他成分の影響が少なく、効率的なスーパーオキシドアニオンの分析が可能となる。
【図面の簡単な説明】  第１図は、本発明に係る化合物（１３）及び（１４）を示す化学構造式である。
第２図は、本発明に係る化合物（１５）及び（１６）を示す化学構造式である。
また、第３図は、化合物（１５）及び（１６）において、Ｍ＝７のときの化合物（１）及び（２）を製造する手順を説明したものである。
【発明を実施するための最良の形態】  発明者は、これまで、シクロデキストリンにＭＣＬＡを共有結合させた化合物の合成やその発光反応について報告している（例えば、Ｃａｒｂｏｈｙｄｒ．Ｒｅｓｅ．，３０６，１７７−１８７（１９９８）．Ｌｕｍｉｎｅｓｃｅｎｃｅ，１４，３０３−３１４（１９９９）．特開平１０−７７２８６）。
発明者は、これらの知見をもとに鋭意研究を進めた結果、シクロデキストリン分子にスーパーオキシドアニオンと反応する分子（例えば、イミダゾ［１，２−ａ］ピラジン−３（７Ｈ）−オン分子、又はその誘導体）、およびその物質からのエネルギーを受け取って発光する分子（例えば、フルオレセイン分子、又はその誘導体）が共有結合した化合物を発光剤として用いることにより、検体中のスーパーオキシドアニオンを検出できることを見い出し、本発明に至ったものである。
本発明のスーパーオキシドアニオン分析用試薬は、少なくともシクロデキストリン分子にイミダゾ［１，２−ａ］ピラジン−３（７Ｈ）−オン分子およびフルオレセイン分子が共有結合した化合物を含有することを特徴とするものである。
具体的には、本発明のスーパーオキシドアニオン分析用試薬に用いられるシクロデキストリン分子にイミダゾ［１，２−ａ］ピラジン−３（７Ｈ）−オン分子およびフルオレセイン分子が共有結合した化合物は、図１の式（１）および（２）のものが好ましく例示される。
本発明のスーパーオキシドアニオン分析用試薬は、水溶性であり、スーパーオキシドアニオンと反応して最大発光波長が約５３０ｎｍの緑色の発光を示し、かつ、ＭＣＬＡおよびＦＣＬＡよりも高い発光強度を示し（ＦＣＬＡの約１００倍の発光強度）、さらには、タンパク質や脂質などの生体成分の影響を受けにくいため、有効成分として好ましい。
本発明においてスーパーオキシドアニオン分析用試薬の有効成分として使用されるシクロデキストリン分子にフルオレセイン分子およびイミダゾ［１，２−ａ］ピラジン−３（７Ｈ）−オン分子が共に共有結合した化合物は、以上のとおりのものであり、その製造法を提供する。例えば、第３図に示した以下の方法がある。既知の方法（例えば、特開平１０−７７３０３、Ｂｉｏｓｃｉ．Ｂｉｏｔｅｃｈ．Ｂｉｏｃｈｅｍ．，１９９８、６２，１２４９−１２５２）より合成されるモノ−２−Ｏ−トシル−γ−ＣＤのアルカリ処理により得られた既知物質モノマンノエポキシ−γ−シクロデキストリン（Ｂｕｌｌ．Ｃｈｅｍ．Ｓｏｃ．Ｊｐｎ．，１９９０，６３，１４０９−１４１４）をピリジン中でｍ−ニトロベンゼンスルホニルクロリドと反応させ、６位水酸基にニトロベンゼンスルホニル基を結合させた新規化合物３および４を得る。本化合物には８個の異性体が存在するがこれら８個の異性体の分離を行なわず８個の異性体の混合物すなわち化合物３および４の混合物として以後の反応を進める。６−Ｏ−ニトロベンゼンスルホニル−γ−シクロデキストリン（３及び４）をＤＭＦ中、アジ化ナトリウムと反応させ、６位にアジド基を導入し新規化合物（５）および化合物（６）を合成する。次に接触水素添加によりアジド基を還元し新規化合物（７）および化合物（８）の混合体を得る。次に化合物（７）および化合物（８）の混合体をフルオレセインイソチオシアナートと反応させ、新規化合物（９）および化合物（１０）の混合体を得る。続いて化合物（９）および化合物（１０）の混合体をアンモニア水と反応させることによりエポキシを開環し、３位にアミノ基を導入した新規化合物（１１）および化合物（１２）の混合体を得る。続いて化合物（１１）および化合物（１２）の混合体をＭＣＬＡ−ＣＯＯＨとアミド結合させ、目的とする新規化合物（１）および化合物（２）の混合体を得る。もちろんこれ以外の方法によって合成されるものであってもよく、上記例によって、限定されるものではない。
さらに、本発明のスーパーオキシドアニオン分析用試薬は、以上のとおりのシクロデキストリン分子にフルオレセイン分子およびイミダゾ［１，２−ａ］ピラジン−３（７Ｈ）−オン分子が共に共有結合した化合物を有効成分とするものであれば、その他の物質、例えば、溶剤、緩衝剤、安定剤、界面活性剤などを含有していてもよい。
そして、本発明は、以上の通りのスーパーオキシドアニオン分析用試薬を用いてスーパーオキシドアニオンを検出する方法をも提供する。すなわち、本発明のスーパーオキシドアニオン分析用試薬を検体溶液に添加、混合するなどして接触させ、シクロデキストリン分子にイミダゾ［１，２−ａ］ピラジン−３（７Ｈ）−オン分子およびフルオレセイン分子が共有結合した化合物によって発せられる光の強さを測定することによりスーパーオキシドアニオンを簡便に分析することが可能となるのである。
この時、添加するスーパーオキシドアニオン分析試薬の量等の分析条件は特に限定されない。具体的には、スーパーオキシドアニオン分析試薬の濃度は、分析系に影響を与えない程度であればよい。また、スーパーオキシドアニオン分析は、被検体に影響を与えない温度範囲で行なえばよい。例えば、一般に生体を被検体とし、水溶液中で分析を行なう場合には、約１０−４０℃の温度範囲が好ましく例示される。
本発明のスーパーオキシドアニオンの分析方法において用いられるスーパーオキシドアニオン分析試薬の有効成分であるシクロデキストリン分子にフルオレセイン分子およびイミダゾ［１，２−ａ］ピラジン−３（７Ｈ）−オン分子が共に共有結合した化合物は、水溶性であるため血液や血清、あるいは細胞培養液等にも溶解できる上、タンパク質や脂質、糖の存在においてもその発光反応に影響を与えない。また、発光波長は、最大波長約５３０ｎｍであるため他成分の影響が小さい。さらに、発光強度がＣＬＡ，ＭＣＬＡ，ＦＣＬＡに比べて非常に高い。従って、このようなシクロデキストリン分子にフルオレセイン分子およびイミダゾ［１，２−ａ］ピラジン−３（７Ｈ）−オン分子が共に共有結合した化合物は、従来のＣＬＡ，ＭＣＬＡ，ＦＣＬＡなどのスーパーオキシドアニオン分析用試薬に比べ、高い精度でのスーパーオキシドアニオンの分析を可能とする。
以下、実施例を示し、この発明の実施の形態についてさらに詳しく説明する。もちろん、本発明は以下の例に限定されるものではなく、その要旨を変更しない範囲内で様々な態様で実施することが可能である。加えて、本発明の技術的範囲は、いわゆる均等の範囲にまで及ぶものである。
【実施例】
【実施例１】  ＫＣｌ（ナカライテスク株式会社製）（０．２Ｍ）、ＥＤＴＡ（ＳＩＧＭＡ社製）（０．１ｍＭ）、３−モルホリノプロパンスルホン酸（ＭＯＰＳ、ナカライテスク株式会社製）（２０ｍＭ）を含む緩衝水溶液（ｐＨ７．２、０．５ｍｌ）に２５℃でヒポキサンチン（和光純薬工業株式会社製）水溶液（０．３ｍＭ、０．５ｍｌ）、化合物（１）および化合物（２）の混合水溶液（２．５ｘ１０−５Ｍ、４０μｌ）およびキサンチンオキシダーゼ（ＳＩＧＭＡ社製）水溶液（０．３７ｕｎｉｔ／ｍｌ、４０μｌ）を加え、アロカルミネッセンスリーダーＢＬ２０１（アロカ社製）を用いて発光強度を測定した。発光はキサンチンオキシダーゼ水溶液の添加後、すぐに最高強度を示した。比較のため化合物（１）および（２）の混合物の代わりにＭＣＬＡ（東京化成工業株式会社製）およびＦＣＬＡ（東京化成工業株式会社製）を用いて同様にして実験を行なった。得られた相対発光強度の結果を表１に示した。
【実施例２】  ＫＣｌ（０．２Ｍ）、ＥＤＴＡ（０．１ｍＭ）、３−モルホリノプロパンスルホン酸（ＭＯＰＳ）（２０ｍＭ）を含む緩衝水溶液（ｐＨ７．２、０．５ｍｌ）に２５℃でヘキサデシルトリメチルアンモニウムブロミド（ＣＴＡＢ：ナカライテスク株式会社製）水溶液（０．５％、５０μｌ）、ヒポキサンチン水溶液（０．３ｍＭ、０．５ｍｌ）、化合物（１）および化合物（２）の混合水溶液（２．５ｘ１０−５Ｍ、４０μｌ）およびキサンチンオキシダーゼ水溶液（０．３７ｕｎｉｔ／ｍｌ、４０μｌ）を加え、アロカルミネッセンスリーダーＢＬ２０１を用いて発光強度を測定した。発光はキサンチンオキシダーゼ水溶液の添加後、すぐに最高強度を示した。比較のため化合物（１）および（２）の混合物の代わりにＭＣＬＡおよびＦＣＬＡも同様にして実験を行なった。得られた相対発光強度の結果を表１に示した。
【実施例３】  ＫＣｌ（０．２Ｍ）、ＥＤＴＡ（０．１ｍＭ）、アルブミンタンパク質（ＢＳＡ：和光純薬工業株式会社製）（０．１％）、３−モルホリノプロパンスルホン酸（ＭＯＰＳ）（２０ｍＭ）を含む緩衝水溶液（ｐＨ７．２、０．５ｍｌ）に２５℃で、ヒポキサンチン水溶液（０．３ｍＭ、０．５ｍｌ）、化合物（１）および化合物（２）の混合水溶液（２．５ｘ１０−５Ｍ、４０μｌ）およびキサンチンオキシダーゼ水溶液（０．３７ｕｎｉｔ／ｍｌ、４０μｌ）を加え、アロカルミネッセンスリーダーＢＬ２０１を用いて発光強度を測定した。発光はキサンチンオキシダーゼ水溶液の添加後、すぐに最高強度を示した。比較のため化合物（１）および（２）の混合物の代わりにＭＣＬＡおよびＦＣＬＡも同様にして実験を行なった。得られた相対発光強度の結果を表１に示した。
2004072649.tif 000004
以上の実施例１−３より、シクロデキストリン分子にフルオレセイン分子およびイミダゾ［１，２−ａ］ピラジン−３（７Ｈ）−オン分子が共に共有結合した化合物（１）および（２）の混合物は、ＭＣＬＡおよびＦＣＬＡよりも高い発光強度を示すことが明かとなった。また、ＣＴＡＢは、ＭＣＬＡやＦＣＬＡの発光強度を増強する効果があるが、シクロデキストリン分子にフルオレセイン分子およびイミダゾ［１，２−ａ］ピラジン−３（７Ｈ）−オン分子が共に共有結合した化合物（１）および（２）の混合物は、ＣＴＡＢの影響をあまり受けないことが確認された。また、ＢＳＡはＭＣＬＡやＦＣＬＡの発光強度を増減する効果があるが、シクロデキストリン分子にフルオレセイン分子およびイミダゾ［１，２−ａ］ピラジン−３（７Ｈ）−オン分子が共に共有結合した化合物（１）および（２）の混合物は、ＢＳＡの影響が小さいことが確認された。ＣＴＡＢ添加実験あるいはＢＳＡ添加実験の結果は、シクロデキストリン分子にフルオレセイン分子およびイミダゾ［１，２−ａ］ピラジン−３（７Ｈ）−オン分子が共に共有結合した化合物（１）および（２）の混合物は、タンパク質や脂質の影響を受けにくい発光をする発光試薬であることを示している。
【実施例４】  ＫＣｌ（０．２Ｍ）、ＥＤＴＡ（０．１ｍＭ）、３−モルホリノプロパンスルホン酸（ＭＯＰＳ）（２０ｍＭ）を含む緩衝水溶液（ｐＨ７．２、０．５ｍｌ）に２５℃でＣＴＡＢ水溶液（０．５％、５０μｌ）、ヒポキサンチン水溶液（０．３ｍＭ、０．５ｍｌ）、化合物（１）および化合物（２）の混合水溶液（２．５ｘ１０−５Ｍ、４０μｌ）およびキサンチンオキシダーゼ水溶液（０．３７ｕｎｉｔ／ｍｌ、４０μｌ）を加え、蛍光分光光度計ＦＰ７５０ＤＳ（日本分光株式会社製）を用いて発光スペクトルを測定した（ただし、励起光は使用しない）。発光スペクトルは最大発光波長約５３０ｎｍを示した。
【実施例５】  モノ−６−Ｏ−ニトロベンゼンスルホニル−２，３−モノマンノエポキシγ−ＣＤ（３）および（４）の混合物の合成
次に、化合物（１）及び（２）の製造方法について説明する。なお、下記の説明において、化合物番号は、第３図中の符号による。
モノマンノエポキシ−γ−シクロデキストリン（０．５００ｇ、０．０００３９１ｍｏｌ）をピリジン（１０．０ｍｌ）に溶解し、ｍ−ニトロベンゼンスルホニルクロリド（０．１３０ｇ、０．０００５８６ｍｏｌ）を加え−２０℃で３０分間攪拌した。ピリジンを減圧除去し、ＯＤＳカラムクロマトグラフィー（２０×１３０ｍｍ、０％  ＭｅＯＨ／Ｈ２Ｏ→２０％  ＭｅＯＨ／Ｈ２Ｏ）を行ない、化合物（３）および（４）の混合物（０．２０４ｇ）を３５％の収率で得た。混合物を１Ｈ  ＮＭＲ（ＤＭＳＯＤ６，４０℃）にて測定したところ、δ３．２−３．９（ｍａｊｏｒｉｔｙ，Ｈ  ｏｆＹ−ｃｙｃｌｏｄｅｘｔｒｉｎ  ｕｎｉｔ），４．４−４．５（２Ｈ，ｍ，Ｈ−６＊），４．７−５．０（８Ｈ，ｍ，Ｈ−１），８．００（１Ｈ，ｍ，Ａｒ−Ｈ），８．３９（１Ｈ，ｍ，Ａｒ−Ｈ）ａｎｄ  ８．６１（２Ｈ，ｍ，Ａｒ−Ｈ）の結果を得た。
【実施例６】  モノ−６−アジド−２，３−モノマンノエポキシＹ−ＣＤ（５）および（６）の混合物の合成
化合物（３）および（４）の混合物（０．１９０ｇ、０．０００１２９ｍｏｌ）をＤＭＦ（３．８０ｍｌ）に溶解し、アジ化ナトリウム（０．０２５０ｇ、０．０００３８４ｍｏｌ）を加え室温で２０時間攪拌した。ＤＭＦを減圧除去し、ＯＤＳカラムクロマトグラフィー（２０×１３０ｍｍ、０％  ＭｅＯＨ／Ｈ２Ｏ→１５％  ＭｅＯＨ／Ｈ２Ｏ）を行ない、化合物（５）および（６）の混合物（０．１６５ｇ）を９７％の収率で得た。混合物を１Ｈ  ＮＭＲ（ＤＭＳＯＤ６，５０℃）にて測定したところ、δ３．３−３．８（ｍａｊｏｒｉｔｙ，Ｈ  ｏｆＹ−ｃｙｃｌｏｄｅｘｔｒｉｎ  ｕｎｉｔ）ａｎｄ  ４．９−５．０（８Ｈ，ｍ，Ｈ−１）の結果を得た。
【実施例７】  モノ−６−Ｎ−（５−フルオレセイニル）チオウレイド−２，３−モノマンノエポキシＹ−ＣＤ（９）および（１０）の混合物の合成
化合物（５）および（６）の混合物（０．１５４ｇ、０．０００１１８ｍｏｌ）をメタノール：水＝１：１（５．００ｍｌ）に溶かし、Ｐｄ−Ｃ（５ｗｔ．％  ｏｎ  ａｃｔｉｖａｔｅｄ  ｃａｒｂｏｎ）（０．１００ｇ）を加え水素雰囲気下、室温で１５時間攪拌した。セライト及びメンブランフィルターを用いてＰｄ−Ｃを濾別し、粗アミノ体（７）および（８）の混合体（０．１７２ｇ）を得た。この粗アミノ体（０．１５０ｇ、０．０００１１７ｍｏｌ）をピリジン（３．００ｍｌ）に溶解し、ＦＩＴＣ（０．０４６０ｇ、０．０００１１８ｍｏｌ）を加え室温で１時間攪拌した。ピリジンを減圧除去し、ＯＤＳカラムクロマトグラフィー（１５×７０ｍｍ、０％  ＭｅＯＨ／Ｈ２Ｏ（０．１％ＴＦＡを含む）→３０％  ＭｅＯＨ／Ｈ２Ｏ（０．１％  ＴＦＡを含む））を行ない、化合物（９）および（１０）の混合物（０．１２１ｇ）を７０％の収率で得た。混合物を１Ｈ  ＮＭＲ（ＤＭＳＯＤ６，５０℃）にて測定したところ、δ３．３−３．９（ｍａｊｏｒｉｔｙ，Ｈ  ｏｆＹ−ｃｙｃｌｏｄｅｘｔｒｉｎ  ｕｎｉｔ），４．９−５．１（ｂｒ．，Ｈ−１），６．６３（４Ｈ，ｍ，Ａｒ−Ｈ），６．７５（２Ｈ，ｓ，Ａｒ−Ｈ），７．１８（１Ｈ，ｍ，Ａｒ−Ｈ），７．８１（ｂｒ．，Ａｒ−Ｈ）ａｎｄ  ８．３４（ｂｒ．，Ａｒ−Ｈ）の結果を得た。
【実施例８】  モノ−６−Ｎ−（５−フルオレセイニル）チオウレイド−モノ−３−デオキシ−３−［［６−（４−メトキシフェニル）イミダゾ［１，２−ａ］ピラジン−３（７Ｈ）−オン−２−イル］プロピオニル］アミノ−Ｙ−ＣＤ（１）および（２）の合成
化合物（９）および（１０）の混合物（０．１１０ｇ、０．００００６５９ｍｏｌ）を濃アンモニア水（２．２０ｍｌ）に溶解し、３７℃で３日間反応させた。反応液を濃縮し、粗アミノ体（１１）および（１２）の混合体（０．１４２ｇ）を得た。この粗アミノ体（０．１３０ｇ、０．００００７７１ｍｏｌ）ピリジン（２．６０ｍｌ）に溶解し、既知化合物ＭＣＬＡ−ＣＯＯＨ（Ｃａｒｂｏｈｙｄｒ．Ｒｅｓｅ．，１９９８，３０６，１７７−１８７）（０．０２５０ｇ、０．００００７９７ｍｏｌ）、ＷＳＣ（ナカライテスク株式会社製）（０．０４４０ｇ、０．０００２２９ｍｏｌ）を加えアルゴン雰囲気下、室温で４時間攪拌した。ピリジンを減圧除去し、ＯＤＳカラムクロマトグラフィー（２０×９０ｍｍ、０％  ＭｅＯＨ／Ｈ２Ｏ（０．１％  ＴＦＡを含む）→、５０％  ＭｅＯＨ／Ｈ２Ｏ（０．１％ＴＦＡを含む））を行なった。さらにＨＰＬＣ（ＣＯＳＭＯＳＩＬ  Ｃｏｄｅ  Ｎｏ．３７９−７６  Ｓｉｚｅ２０×２５０ｍｍ  ５Ｃ−１８−ＭＳ  Ｔｙｐｅ  Ｗａｔｅｒｓ流速６．０ｍｌ／ｍｉｎ、３０％  ＭｅＯＨ／Ｈ２Ｏ（０．１％ＴＦＡを含む）→５０％  ＭｅＯＨ／Ｈ２Ｏ（０．１％  ＴＦＡを含む）（６０ｍｉｎ））によって精製した。得られた化合物を少量のメタノールに溶解し、大量の酢酸エチルを加えパウダー化させることにより化合物（１）および（２）の混合物（０．０３００ｇ）を２５％の収率で得た。混合物を１Ｈ  ＮＭＲ（ＣＤ３ＯＤ，２０℃）にて測定したところ、δ２．７−３．２（ｍ，ＣＨ２ＣＨ２），３．３−４．１（ｍａｊｏｒｉｔｙ，Ｈ  ｏｆＹ−ｃｙｃｌｏｄｅｘｔｒｉｎ  ｕｎｉｔ），４．６−５．１（ｍ，Ｈ−１），６．６−６．８（ｍ，Ａｒ−Ｈ），７．０８（ｍ，Ａｒ−Ｈ），７．６−７．８（ｍ，Ａｒ−Ｈ  ａｎｄ  Ｈ  ｏｆ  ｐｙｒａｚｉｎｅ）ａｎｄ  ７．９−８．２（ｍ，Ａｒ−Ｈ  ａｎｄ  Ｈ  ｏｆ  ｐｙｒａｚｉｎｅ）の結果を得た。また、ＵＶ（０．０３Ｍ  ｐｈｏｓｐｈａｔｅ  ｂｕｆｆｅｒ，ｐＨ８．０）にて測定したところ、λｍａｘｎｍ（ε）：４９２（４８０００）の結果を得た。
【図１】
2004072649.tif 000007
【図２】
2004072649.tif 000008
【図３】
2004072649.tif 000009
【国際調査報告】
2004072649.tif 000010
2004072649.tif 000011
2004072649.tif 000012